(57)【要約】      （修正有）【課題】ドライフラワーの劣化を防止し、美しい状態を長く保つことができるものであって、照明装置を組み合わせた、より美観性の高いドライフラワー装飾装置を提供する。【解決手段】密封透明容器内に、ドライフラワー及びその照明装置３を配置したドライフラワー装飾装置において、前記照明装置の光源表面側を、散光用透明装飾体７を備えた透明カバー６で密閉したことを特徴とするドライフラワー装飾装置を提供するにより、課題を解決した。【選択図】図１
0003142813.tif 000002
【実用新案登録請求の範囲】
【請求項１】
密封透明容器内に、ドライフラワー及びその照明装置を配置したドライフラワー装飾装置において、前記照明装置の光源表面側に、散光用透明装飾体と光源を覆う透明カバーとを備えたことを特徴とするドライフラワー装飾装置。
【請求項２】
照明装置は、複数の異色に発光するLEDを組み合わせたものであって、順次切替え点滅することを特徴とした請求項１記載のドライフラワー装飾装置。
【請求項３】
密封透明容器は、ドライフラワー及びその照明装置を配置する底板と、底板を覆う透明帽体とよりなることを特徴とした請求項１記載のドライフラワー装飾装置。
【請求項４】
底板の表面を鏡面とし、照明装置は、前記底板中央に設置し、ドライフラワーは、透明カバーと、該透明カバーを囲う置枠との間の底板上に配置したことを特徴とする請求項４記載のドライフラワー装飾装置。
【考案の詳細な説明】
【技術分野】
【０００１】
本考案は、密封透明容器内に、ドライフラワー及びその照明装置を配置したドライフラワー装飾装置に関する。
【背景技術】
【０００２】
従来、ドライフラワーは、花瓶や籐籠などに挿して鑑賞していた。また、透明容器内に、ドライフラワーを配置した装飾器が提案されており、例えば、開口部を有し乾燥剤が封入される透明容器と、その開口部を着脱自在に取り付けられる開口部封止体とからなるドライフラワー鑑賞容器が提案されている（特許文献１参照）。
【０００３】
また、ガラス製の装飾体を、その底部側に設けた多色光源により照明する光装飾性ガラス置物が提案されている（例えば特許文献２参照）。
【特許文献１】特開平５−２９３０２７号公報
【特許文献２】実用新案登録第２５９９４２２号公報
【考案の開示】
【考案が解決しようとする課題】
【０００４】
ドライフラワーは、照明装置により発せられた光と組み合わせることにより、より綺麗なものとなる。従来、透明容器内に、ドライフラワーや生花を配置したドライフラワー装飾装置は公知となっていたが、ドライフラワーとその照明装置とを組み合わせた提案はなかった。
【０００５】
また、ドライフラワーを照明する際には、さらに美観性を高めるために、一方向のみから光を発するのではなく、多数の発光群による照明が望ましい。
【０００６】
そして、ドライフラワーの劣化を防止するために、装置内部は密閉されたものが望ましかった。
【課題を解決するための手段】
【０００７】
本考案のドライフラワー装飾装置は、密封透明容器内に、ドライフラワー及びその照明装置を配置したドライフラワー装飾装置において、前記照明装置の光源表面側に、散光用透明装飾体と光源を覆う透明カバーとを備えたことで、前記課題を解決したのである。
【０００８】
前記ドライフラワーは、生花を乾燥させたものであって、生花を逆さに吊るして一定期間乾燥させることによって作られるものの他、真空冷凍乾燥法で乾燥させたもの、その他公知の方法により作られた物を用いることができる。
【０００９】
前記密封透明容器は、該密封透明容器内の空気が外部に漏れ出さないようにすることを目的とし、ドライフラワー及びその照明装置を配置する底板と、底板を覆う透明帽体とより成るものの他、例えば、透明な円筒状体の両開口部をそれぞれ透明板を用いて密閉してなるものなど、前記目的を達成できる形状であればどのような形状でも良い。
【００１０】
前記照明装置は、前記密封透明容器内の透明装飾を透過した光でドライフラワーを照明し、ドライフラワーをより綺麗にみせるためのものであって、前記目的を達成できるのであれば、光源の種類、光度、個数は問わず、複数の異色に発光するLEDを組み合わせたものであって、順次切替え点滅するものを用いることもできる。また、照明装置の電源部分は、電池の交換を容易に行えるようにするため、電池設置部を前記密封透明容器の外側に設けることが望ましい。
【００１１】
前記容器内の密封は、種々照明具の配線その他から破られることが多いので、この考案は、光源表面側を透明カバーで密封した。
【００１２】
ここで、前記密封透明容器は、例えば、ドライフラワー及び前記照明装置を配置する底板と、該底板を覆う透明帽体とよりなるものを用いることができる。また、装置全体をより美観性の高いものとするために、前記底板の表面を鏡面とし、前記照明装置は、前記底板中央に設置し、前記ドライフラワーは、前記透明カバーと、該透明カバーを囲う置枠との間の底板上に配置することができる。
【００１３】
前記密封透明容器、透明帽体、透明カバー、散光用透明装飾体は、透明であればガラスの他、透明樹脂などを用いることもできる。
【００１４】
前記密封透明容器内には、ドライフラワーの劣化を防止するため、密封し、かつ乾燥剤を収容し、又は不活性ガスを充填することもできる。
【００１５】
また、前記散光用透明装飾体は、前記照明装置からの光を、前記散光用透明装飾体を通して屈折させて、該散光用透明装飾体の上部からも光を発するようにするために設置するものであり、前記目的を達成できる形状であれば良いが、カッティング等の手法で模様を彫りこんだハート型の形状や天使の形状といった美観性、散光率の高いものが望ましい。
【考案の効果】
【００１６】
本考案の請求項１記載のドライフラワー装飾装置によれば、透明容器内にドライフラワーを配置した装飾装置に、前記ドライフラワーのための照明装置を設置したことで、より美観性の高いドライフラワー装飾装置を提供できる。
【００１７】
また、密閉透明容器を用いて、かつ、照明装置の光源表面側を透明カバーで密閉することで、ドライフラワーの劣化を防止する効果がある。
【００１８】
本考案の請求項２記載のドライフラワー装飾装置によれば、照明装置にLEDを用いることで、長寿命で省エネ性の高い装置となる。さらに、複数の異色に発光するLEDを組み合わせたものであって、順次切替わり点滅することを特徴とすることで、時間の移り変わりで色彩が変化する美観性の高いドライフラワー装飾装置を提供できる。
【００１９】
本考案の請求項３記載のドライフラワー装飾装置によれば、前記密封透明容器を、ドライフラワー及びその照明装置を配置する底板と、底板を覆う透明帽体とよりなることとすることで、底板に物を配置しやすく、取扱いの容易なドライフラワー装飾装置を提供できる。
【００２０】
本考案の請求項４記載のドライフラワー装飾装置によれば、前記底板の表面を鏡面とし、照明装置は、前記底板中央に設置し、ドライフラワーは、透明カバーと、該透明カバーを囲う置枠との間の底板上に配置したことで、装置全体の美観性をより高めたドライフラワー装飾装置を提供できる。
【考案を実施するための最良の形態】
【００２１】
密封透明容器内に、ドライフラワー及びその照明装置を配置したドライフラワー装飾装置において、前記密封透明容器は、ドライフラワー及びその照明装置を配置する、表面を鏡面とした底板と、底板を覆う透明帽体とよりなるものであって、前記照明装置は、前記底板中央に設置し、複数の異色に発光するLEDを組み合わせ、順次切替え点滅することを特徴としたものであって、前記照明装置の光源表面側に、散光用透明装飾体と光源を覆う透明カバーを備え、前記ドライフラワーは、前記透明カバーと、該透明カバーを囲う置枠との間の底板上に配置したことを特徴とするドライフラワー装飾装置である。
【実施例１】
【００２２】
本考案の実施例を図１及び図２について説明すれば、このドライフラワー装飾装置は、透明帽体１及び底板２から成る容器と、ドライフラワー収容部と、その照明装置より成る。
【００２３】
前記透明帽体１は、ガラスを用いて成り、取り扱いの容易性と装飾性を高めるために、持ち手部１ａを設けた。また、前記透明帽体１と底板２とは、接着剤を用いて密着固定させたが、密着固定する目的を達成することができるのであれば、どのような手段を用いても良い。
【００２４】
前記底板２は、表面を鏡面として反射光を期待し、裏面には、３つの脚２ｂ、２ｂを取り付けた。
【００２５】
また、前記底板２の中央には孔２ａを設けて、ここに照明装置３を下方より嵌めて取り付けた。
【００２６】
前記照明装置３は、３つのLED３、３、電源部４及びその配線で構成した。本実施例においては、前記LED３、３は赤、青、黄の３色にそれぞれ発光し、順次切替わりスロー点滅するLEDを用いた。
【００２７】
また、前記照明装置３の光源表面側は、散光用透明装飾体７を備えた透明カバー６を前記底板２に密着固定させて、該底板２と前記照明装置３との隙間から空気が漏れないように密閉した。
【００２８】
前記透明カバー６及び散光用透明装飾体７は、ガラスを用いて成り、前記散光用透明装飾体７は、図１図示の通りハート２つに１本の矢が交差する形状とした。ここで、前記散光用透明装飾体７は、光を通して屈折させて、該散光用透明装飾体７の上部からも光を発することができれば、例えば、天使をモチーフにした形状とすることもできる。
【００２９】
次に、前記底板２の表面に、前記透明カバー６を囲う置枠８を設置した。そして、該置枠８と、前記透明カバー６との間に、乾燥剤９を敷き詰め、その上に前記ドライフラワー１０を飾った。前記乾燥剤９はシリカゲルを用いたが、前記透明帽体１内に不活性ガス（例えば窒素ガス）を充填させても良く、またはこれらを併用しても良い。また、前記ドライフラワーの他、造花又はリボン製等の装飾品を用いて装飾してもこの考案に属する。
【００３０】
前記実施例において、照明時は、LED３、３の光が、透明カバー６を通して直接ドライフラワー１０を照明することに加え、LED３、３の光が散光用透明装飾体７を通して散光し、前記ドライフラワー１０を散乱光で包み込み照明することから、装置全体が煌びやかで美観性の高いものとなった。
【図面の簡単な説明】
【００３１】
【図１】本考案の実施例の各部材の展開斜視図。
【図２】同じく組み立てた状態の一部を破切りした拡大斜視図。
【符号の説明】
【００３２】
１  透明帽体
１ａ  持ち手部
２  底板
２ａ  孔
２ｂ  脚
３  照明装置
４  電源部
５  LED
６  透明カバー
７  散光用透明
８  置枠
９  乾燥剤
【図１】
0003142813.tif 000003
【図２】
0003142813.tif 000004